(57)【特許請求の範囲】
【請求項１】
表示された地図上の、出入口に対応するシンボルマークに対するユーザからの入力情報を認識する入力情報認識手段と、
前記入力情報認識手段により認識された前記入力情報に基づいて、地図に表示される前記シンボルマークがリンクする、前記出入口に対応する他のシンボルマークのリンク情報を読み込むシンボルマーク情報読み込み手段と、
前記シンボルマーク情報読み込み手段により読み込まれた前記リンク情報に基づいて、前記他のシンボルマークを含む他の地図を描画する描画手段と
を備えたことを特徴とする地図描画装置。
【請求項２】
前記シンボルマーク情報読み込み手段は、前記シンボルマークがリンクする複数からなる他のシンボルマークのリンク情報を読み込み、
前記描画手段は、複数からなる前記他のシンボルマークの中からユーザによって特定されたシンボルマークを含む地図を描画することを特徴とする請求項１記載の地図描画装置。
【請求項３】
出入口に対応するシンボルマークを含む第１の地図を表示する第１の地図表示手段と、
前記第１の地図表示手段に表示された前記シンボルマークに対するユーザからの入力を受けて入力情報を出力する入力手段と、
前記入力手段から出力される前記入力情報を認識する入力情報認識手段と、
前記入力情報認識手段により認識された前記入力情報に基づいて、前記出入口に対応するとともに前記シンボルマークにリンクするリンクシンボルマークを認識するリンクシンボルマーク認識手段と、
前記リンクシンボルマーク認識手段により認識された前記リンクシンボルマークに関連する第２の地図の地図情報を読み込む地図情報読み込み手段と、
前記地図情報読み込み手段により読み込まれた前記地図情報に基づいて前記リンクシンボルマークを含む前記第２の地図を表示する第２の地図表示手段と
を備えたことを特徴とする地図表示システム。
【請求項４】
前記リンクシンボルマーク認識手段は、前記シンボルマークのリンク情報を含むシンボルマーク情報を読み込み、当該シンボルマーク情報から前記リンクシンボルマークを認識することを特徴とする請求項３記載の地図表示システム。
【請求項５】
地図を表示する地図表示システムを構成するコンピュータに、
出入口に対応するシンボルマークを含む第１の地図をメモリに描画する機能と、
前記シンボルマークに対するユーザからの入力を認識する機能と、
認識された前記入力に基づいて前記シンボルマークの詳細情報を読み込む機能と、
前記出入口に対応するとともに前記シンボルマークにリンクする他のシンボルマークの識別情報を前記詳細情報から認識する機能と、
認識された前記識別情報に基づいて、前記他のシンボルマークを含む第２の地図をメモリに描画する機能と
を実現させることを特徴とするプログラム。
【請求項６】
前記コンピュータに、
読み込まれた前記詳細情報に基づいて前記シンボルマークにリンクする複数からなる他のシンボルマークの選択情報を出力する機能と、
前記選択情報の中から特定のシンボルマークに対するユーザからの入力を認識する機能と、
ユーザからの入力が認識された前記特定のシンボルマークを含む前記第２の地図をメモリに描画する機能とを更に実現させることを特徴とする請求項５記載のプログラム。
【発明の詳細な説明】
【０００１】
【発明の属する技術分野】
本発明は、地図表示システム等に係り、より詳しくは、地図の表示切り替えを行う地図表示システム等に関する。
【０００２】
【従来の技術】
ＰＤＡ(Personal Digital Assistant)等の携帯情報機器に搭載された地図表示システムや、車載用ナビゲーションシステム(カーナビゲーションシステム)などの地図表示システムでは、各種メモリ等から得た地図情報を切り替え、ディスプレイ(モニタ)に対して複数の地図情報を切り替え表示することが可能である。地図情報の切り替えとしては、例えば、縮尺の異なる地図を切り替えて表示したり、例えばユーザからの指定によって関連する地図に切り替えて表示するものが挙げられる。
【０００３】
これらの地図の切り替えに際して、従来は、緯度経度を基準として切り替えが行われていた。例えば、日本地図や関東の地図、東京の地図等、縮尺の異なる複数の地図について、例えば、中心となる位置の緯度経度を基準として、同じ緯度経度を有する縮尺の異なる地図を切り替え表示するように構成されたものが存在している。また、現在表示中の地図を緯度経度を元に隣接する地図に変えたり、一般地図を同じ緯度経度のデフォルメ地図に変えることも可能である。
【０００４】
【発明が解決しようとする課題】
このように、従来では、緯度経度、もしくは緯度経度を元に変換された数値で複数の地図を管理していることから、全ての地図において緯度経度を持つ必要があった。しかしながら、地図情報の中では緯度経度情報をデータとして備えていない場合があり、かかる場合には、地図に関連性を持たすことができない。また、例えば、一般地図と建築地図や、地上の地図と地下街の地図のように、複数の地図の間で緯度経度の関連性が特に重要ではない場合がある。かかる場合には、緯度経度の関連性によって異なる地図を表示しても、実際に有用な地図情報に切り替えられない場合もある。更に、駐車場内地図、地下街地図といった小範囲の地図では、この緯度経度を計測して関連付けを行うことは無駄が多い。また、地下街などでは、緯度経度情報が取れない場合もあり、地図自体に全て緯度経度情報を持たせることは実用的なものとは言い得ない。
【０００５】
本発明は、以上のような技術的課題を解決するためになされたものであって、その目的とするところは、複数の地図の関連付けをより適切に行い、ユーザにとって利用し易い地図を提供することにある。
また他の目的は、地図の関連付けに際してシステムの構築を容易にし、また、地図の製作や変更等を容易にすることにある。
【０００６】
【課題を解決するための手段】
かかる目的のもと、本発明は、異なる地図上に表示されるシンボルマーク間で関連付けを行うことにより、地図の表示切り替えを行うことを特徴としている。即ち、本発明が適用される地図描画装置は、表示された地図に対するユーザからの入力情報を認識する入力情報認識手段と、この入力情報認識手段により認識された入力情報に基づいて、地図に表示されるシンボルマークの詳細情報を読み込むシンボルマーク情報読み込み手段と、このシンボルマーク情報読み込み手段により読み込まれた詳細情報に基づいて、シンボルマークにリンクされた地図を描画する描画手段とを備えたことを特徴としている。
【０００７】
ここで、このシンボルマーク情報読み込み手段により読み込まれる詳細情報は、シンボルマークがリンクする他のシンボルマークのリンク情報を含み、このリンク情報に基づいて他のシンボルマークを含む地図を描画手段により描画する。また、シンボルマーク情報読み込み手段により読み込まれる詳細情報には、シンボルマークがリンクする複数からなる他のシンボルマークのリンク情報を含み、複数からなる他のシンボルマークの中からユーザによって特定されたシンボルマークを含む地図を描画手段により描画する。
【０００８】
また、他の観点から捉えると、本発明が適用される地図表示システムは、シンボルマークを含む第１の地図を表示する第１の地図表示手段と、この第１の地図表示手段に表示されたシンボルマークに対するユーザからの入力を受けて入力情報を出力する入力手段と、この入力手段から出力される入力情報を認識する入力情報認識手段と、入力情報認識手段により認識された入力情報に基づいて、シンボルマークにリンクするリンクシンボルマークを認識するリンクシンボルマーク認識手段と、このリンクシンボルマーク認識手段により認識されたリンクシンボルマークに関連する第２の地図の地図情報を読み込む地図情報読み込み手段と、この地図情報読み込み手段により読み込まれた地図情報に基づいて第２の地図を表示する第２の地図表示手段とを備えたことを特徴とすることができる。ここで、このリンクシンボルマーク認識手段は、シンボルマークのリンク情報を含むシンボルマーク情報を読み込み、このシンボルマーク情報からリンクシンボルマークを認識することを特徴とする。
【０００９】
一方、本発明が適用される地図描画方法は、シンボルマークを含む第１の地図をメモリに描画し、シンボルマークに対するユーザからの入力を認識し、認識された入力に基づいてシンボルマークの詳細情報を読み込み、シンボルマークにリンクする他のシンボルマークの識別情報を詳細情報から認識し、認識された識別情報に基づいて、他のシンボルマークを含む第２の地図をメモリに描画することを特徴とする。また、読み込まれた詳細情報に基づいてシンボルマークにリンクする複数からなる他のシンボルマークの選択情報を出力し、選択情報の中から特定のシンボルマークに対するユーザからの入力を認識し、ユーザからの入力が認識された特定のシンボルマークを含む第２の地図をメモリに描画することを特徴とすることができる。
【００１０】
更に他の観点から捉えると、本発明が適用される地図描画方法は、シンボルマークを含む第１の地図を表示し、表示された第１の地図に含まれるシンボルマークに対するユーザからの入力を認識し、認識された入力に基づいてシンボルマークにリンクする複数からなる他のシンボルマークの選択情報を表示し、表示された選択情報に対するユーザからの入力を認識し、認識された入力に基づいて特定のシンボルマークに対するユーザからの選択を認識し、特定のシンボルマークを含む第２の地図を表示することを特徴としている。
【００１１】
尚、本発明は、これらの発明をコンピュータに実行させるプログラムとして把握することができる。このプログラムとしては、地図を表示する地図表示システムを構成するコンピュータに、シンボルマークを含む第１の地図をメモリに描画する機能と、シンボルマークに対するユーザからの入力を認識する機能と、認識された入力に基づいてシンボルマークの詳細情報を読み込む機能と、シンボルマークにリンクする他のシンボルマークの識別情報を詳細情報から認識する機能と、認識された識別情報に基づいて、他のシンボルマークを含む第２の地図をメモリに描画する機能とを実現させることを特徴としている。更に、読み込まれた詳細情報に基づいてシンボルマークにリンクする複数からなる他のシンボルマークの選択情報を出力する機能と、選択情報の中から特定のシンボルマークに対するユーザからの入力を認識する機能と、ユーザからの入力が認識された特定のシンボルマークを含む第２の地図をメモリに描画する機能とを更に実現させることを特徴としている。
【００１２】
尚、このプログラムは、地図表示システムを構成するコンピュータに実行させるプログラムをコンピュータが読取可能に記憶した記憶媒体にて提供する形態が考えられる。この記憶媒体としては、例えばフロッピーディスクやＣＤ−ＲＯＭ媒体等が該当し、フロッピーディスクドライブやＣＤ−ＲＯＭ読取装置等によってプログラムが読み取られ、所定のメモリにこのプログラムが格納されて実行される形態が考えられる。また、これらのプログラムは、例えば、プログラム伝送装置により無線ネットワーク等を介して地図表示システムを構成するコンピュータに提供される形態がある。
【００１３】
【発明の実施の形態】
以下、添付図面に示す実施の形態に基づいて本発明を詳細に説明する。
図１は、本実施の形態が適用される地図表示システムについてハードウェアから見た全体構成を示した図である。この地図表示システムは、例えば、携帯用ナビゲーションシステムやＰＤＡ、携帯電話等の携帯情報装置、車載用ナビゲーションシステム、各種コンピュータ装置等、地図情報を表示することの可能な各種システムに適用される。ここで、「システム」とは、複数の機能(装置)が論理的に集合した物をいい、各構成の機能(装置)が同一筐体中に存在するか否かを問うものではない。
【００１４】
図１に示す地図表示システムは、各種情報の処理を実行し本システムの基幹となってシステム全体の制御や演算を行う制御装置１１、制御装置１１に対するユーザによる各種情報の入力を可能とする入力装置１２、例えばＬＣＤ(液晶表示ディスプレイ)からなるモニタ等を備え制御装置１１から得られる画像情報等を出力する出力装置１４、例えばＣＤ−ＲＯＭやＤＶＤ、ＨＤＤ等からなり、地図描画データや施設情報等の各種データが格納され制御装置１１に対して各種データを提供する記憶装置１５、例えば携帯電話等の無線通信機能からなり、システム外部からデータを入出力する外部通信装置１６を備えている。
【００１５】
制御装置１１は、予め定められた制御プログラムに従って演算処理を実行するＣＰＵ２１、制御装置１１に接続される各種デバイスを制御するＩ/Ｏ回路２２、ＣＰＵ２１によって実行される制御プログラム等が格納されるＲＯＭ２３、ＣＰＵ２１の作業用メモリ等として用いられるＲＡＭ２４、例えば出力装置１４に出力表示するための地図情報を書き込む作業用メモリ等として用いられるＶＲＡＭ２５を備えており、得られた情報からこのＶＲＡＭ２５に対して地図を描画する地図描画装置として機能している。ＶＲＡＭ２５に描画された内容は、出力装置１４のモニタに表示出力される。
【００１６】
入力装置１２としては、キーボード３１やマウス３２、リモコン(リモートコントローラ)３３や、例えば出力装置１４のモニタ上に触れて入力するタッチパネル３４を備えている。その他に、ジョイスティック、ゲームコントローラなども入力装置１２として考えられる。
【００１７】
ＣＰＵ２１は、ＲＯＭ２３に格納されている制御プログラムに基づいて、例えばＲＡＭ２４を作業用メモリとして各種処理を実行する。この処理としては、例えば、ＤＶＤ−ＲＯＭ等の記憶装置１５から地図データや施設データ、シンボルマーク、描画色、描画パターンなどを読み出し、座標変換、位置情報の管理等を行い、例えば、ＶＲＡＭ２５に対して地図データの展開等を行う。入力装置１２からは、例えば出力装置１４のモニタ画面に表示された地図のスクロールや倍率変換、リストの表示など、ユーザによる各種入力がシステムに伝達される。ＣＰＵ２１は、Ｉ/Ｏ回路２２を介してこれらの情報を入手し、これらの情報に基づいて、スクロール処理や倍率変換処理等の各種処理を実行している。また、外部通信装置１６を介して、各種プログラムをシステムにダウンロードすることが可能であり、また、各種情報を外部から入力し、外部に対して各種情報を出力することができる。この外部通信装置１６としては、携帯電話の他、ＰＨＳやBluetoothなどの他の通信手段も考えられる。尚、地図情報等は、ＣＰＵ２１の地図データ読込手段により記憶装置１５から読み込まれる場合の他、外部ネットワークを介して供給される情報を外部通信装置１６から読み込む場合もある。
【００１８】
図２は、図１に示したハードウェアの全体構成を機能ブロックで示した図である。本実施の形態が適用される制御装置１１は、入力装置１２からのユーザ入力の情報から例えば地図表示に係るものだけを抽出する入力情報処理部５１、例えば記憶装置１５から地図情報(地図データ)やシンボルマーク情報(シンボル情報)を読み込む地図情報・シンボル情報読込部５２、地図情報・シンボル情報読込部５２にて読み込まれた地図情報に対して、例えば拡大、縮小等の各種処理を施す地図情報処理部５３、地図情報・シンボル情報読込部５２にて読み込まれたシンボルマーク情報を処理するシンボル情報処理部５４、地図情報処理部５３から得られた地図情報およびシンボル情報処理部５４から得られたシンボルマーク情報等の各種情報に基づいて、出力装置１４に描画すべき画像をＶＲＡＭ２５上に展開する画面描画処理部５５を備えている。また、記憶装置１５は、地図情報を格納する地図情報格納部４１、シンボルマーク情報を格納するシンボル情報格納部４２を備えている。
【００１９】
ここで、シンボルマーク情報として、電子地図上に表示され、地図上に存在する建物の位置、その建物に関する詳細情報等を示すシンボルマークがある。シンボルマークとしては、例えば、地下鉄や地下街、ショッピング街、デパート、駐車場、公園、テーマパーク等の情報の他、これらの出入口、エレベータやエスカレータ情報、各アトラクション情報、設備情報、建物情報等の各種情報が挙げられ、これらの目印として使用される。シンボル情報格納部４２には、これらのシンボルマークの情報が、例えば所定のテーブル情報(後述)により関連付けがなされて格納されている。シンボル情報処理部５４では、シンボル情報格納部４２から地図情報・シンボル情報読込部５２を介してシンボルマークのデータを取り出す。また、そのシンボルマークが別のシンボルマークと関連付けられているときは、関連付けされたシンボルマーク(リンクシンボルマーク)を取得する。
【００２０】
本実施の形態では、異なる地図上に表示されているシンボルマーク同士に関連付けを行い、この関連付けに基づいて地図の表示切り替えを行っている点に特徴がある。図３(ａ),(ｂ)は、階層による地図表示切り替え例を示した図である。例えば、現在、図３(ａ)に示す市街地図が出力装置１４に出力表示されており、この市街地図には、地下街への入口部分を示すシンボルマークＳが示されている。ユーザが、入力装置１２を用いてシンボルマークＳを選択すると、例えば、図３(ｂ)に示すような地下街地図が出力装置１４に表示される。図３(ｂ)に示す地下街地図には、地上への出入口となるシンボルマークＵ１が示されており、この表示切り替えは、図３(ａ)の地図が有するシンボルマークＳの情報と、図３(ｂ)の地図が有するシンボルマークＵ１の情報との関連付けによって可能とされている。
【００２１】
ここで、シンボルマークを選択するというのは、マウス３２やリモコン３３等の入力装置１２を用いて、モニタ等の出力装置１４に表示されるポインタをシンボルマークに移動する方法や、そのシンボルマークにポインタを移動した後に実行キーを入力する方法、タッチパネル３４によって表示画面上のシンボルマークに直接触れる方法など、様々な方法が考えられる。また、地図の表示方法に関しても、１画面で地図を切り替える方法や、例えば米マイクロソフト社のウィンドウズにおける別ウィンドウに新しい地図を表示する方法、カーナビゲーション装置に用いられる２画面表示などを利用して半分だけ画像を切り替える方法などが考えられる。即ち、別ウィンドウ表示や２画面表示を行う際には、第１の地図を第１の地図表示画面にて表示し、この第１の地図に含まれるシンボルマークにリンクするリンクシンボルマークを有する第２の地図を第２の地図表示画面にて表示するように構成することができる。
【００２２】
また、図３(ｂ)の地下街地図が表示されているとき、地図上に表示されたシンボルマークＵ１を選択することで、図３(ａ)に示すような最初の地上地図である市街地図が表示される。このときにも、表示方法としては、今まで図３(ｂ)の地下街地図を表示していた画面を前の地図である図３(ａ)の市街地図に戻す方法や、新たに表示していた地図(図３(ｂ))を消去して最初の地図(図３(ａ))を表示する方法、２画面分割して表示していた図３(ｂ)の市街化地図を１画面による図３(ａ)の市街地図に戻すなどの方法が考えられる。
【００２３】
更に、地図上に表示されるシンボルマークのリンク先として、複数の地図を登録することも可能である。
図４(ａ)〜(ｃ)は、複数の地図とリンクしているシンボルマークの例を説明した図である。ここでは、図４(ａ)に示す市街地図、図４(ｂ)に示す地下街地図、図４(ｃ)に示す地下街測量図の３つの地図の間で、シンボルマークを用いて関連付けがなされ、リンクが張られている。
【００２４】
ここで、例えば、最初に図４(ａ)に示す市街地図が表示されているとき、ユーザがシンボルマークＳを選択した場合を考える。すると、例えば、図５に示すような選択画面が出力装置１４に表示され、ユーザは１つの地図を選択することができる。この図５には、複数のリンクが存在する場合のユーザ確認の例が示されており、図４(ａ)に示す市街地図の上に、シンボルマークＳに関連付けて、図４(ｂ)に示す地下街地図および図４(ｃ)に示す地下街測量図の何れかを選択する吹き出し表示６０がなされる。ユーザが入力装置１２を用いてこの図５に示す吹き出し表示６０の何れかを選択することで、シンボルマークに関連付けられた他の地図を表示することが可能となる。
【００２５】
次に、シンボルマークデータ(シンボルマーク情報)について説明する。
図６は、シンボル情報格納部４２に格納されるシンボルマークデータの一例を示した図である。シンボルマークデータは、例えばテーブル情報としてメモリ(記憶装置１５)に格納されている。図６に示すシンボルマークテーブルでは、シンボルマークを識別するためのＩＤ、シンボルマークの名前、住所、地図内におけるシンボルマークの相対座標、電話番号、メモ情報(Ｎｏｔｅ)等の情報が格納されている。また、本実施の形態では、他のシンボルマーク(リンクシンボルマーク)とのリンクＩＤが格納されている。
【００２６】
ここで、ユーザが、例えば、図４(ａ)に示す市街地図の地図上からシンボルマークＳを選択したものとする。このとき、制御装置１１の入力情報処理部５１は、この選択を認識する。この認識に基づき、シンボル情報処理部５４は、シンボル情報格納部４２に格納された図６に示すシンボルマークテーブルから該当するシンボルマークのデータ(ＩＤが「Ｃ０００１」の欄)を参照し、この中の項目からリンク先の「Ｕ００４６」、「Ｃ０１８０」のＩＤを有するシンボルマーク(リンクシンボルマーク)を検索することができる。「Ｕ００４６」は、図４(ｂ)に示す地下街地図のシンボルマークＵ１であり、「Ｃ０１８０」は図４(ｃ)に示す地下街測量図である。この「Ｕ００４６」、「Ｃ０１８０」の検索に基づいて、図５に示す吹き出し表示６０が表示され、ユーザに選択を促す。リンク先が１つであれば、直ぐに対応する地図を表示することができる。ユーザが図５に示す吹き出し表示６０から地下街地図を選択することで、「Ｕ００４６」のシンボルマークＵ１を中心に、図４(ｂ)に示す地下街地図が表示される。
【００２７】
次に、上述した地図表示切り替え処理について、フローチャートを用いて説明する。
図７は、本実施の形態が適用される地図表示切り替え処理の流れを示したフローチャートである。制御装置１１では、まず、入力装置１２からのユーザ入力を受けると、入力情報処理部５１にて入力処理が実行され(ステップ１０１)、この入力によりシンボルマークの処理を行うか否かが判断される(ステップ１０２)。シンボルマークの処理を行わない場合には、そのまま処理が終了する。シンボルマークの処理を行う場合には、地図情報・シンボル情報読込部５２にて、図６に示すようなシンボルマーク情報がシンボル情報格納部４２から取得され、シンボル情報処理部５４によってシンボルマーク処理が実行される(ステップ１０３)。
【００２８】
シンボルマーク処理では、まず、取得したシンボルマークのデータがリンク先ＩＤを有しているか否かが判断される(ステップ１０４)。リンク先ＩＤを有していない場合には、そのまま処理が終了する。リンク先ＩＤを有している場合には、複数のリンク先ＩＤを有しているか否かが判断される(ステップ１０５)。複数のリンク先ＩＤを有していない場合、即ち、リンク先ＩＤが１つしかない場合には、ステップ１０８に移行する。複数のリンク先ＩＤを有している場合には、図５に示すような画面を出力装置１４のモニタに出力して、ユーザからの選択を待つ(ステップ１０６)。即ち、ユーザに複数のリンク先ＩＤを有していることを知らせると共に、例えば有している複数のリンク先情報を表示し、ユーザに対して、入力装置１２によって、どのリンク先の地図を表示するかを選択させる。入力情報処理部５１にてユーザからの入力があったことを認識した場合には、ユーザ選択処理を実行し(ステップ１０７)、シンボル情報処理部５４は、リンク先の地図が判明すると、リンク先のシンボルマーク情報を取得して、リンク先シンボルマーク処理を実行する(ステップ１０８)。
【００２９】
次に、地図情報・シンボル情報読込部５２は、取得したリンク先のシンボルマーク情報に基づく地図情報処理部５３からの指示により、地図情報格納部４１から該当する地図情報を読み込み(ステップ１０９)、読み込まれた地図データをＲＡＭ２４に格納する。画面描画処理部５５は、読み込まれた地図データをＶＲＡＭ２５に描画し(ステップ１１０)、出力装置１４に出力されてモニタ表示され、一連の地図表示切り替え処理が終了する。
【００３０】
このように、本実施の形態では、建物などの目印の用途として用いられるシンボルマークを利用して、地図上に表示されるシンボルマークを別の地図上のシンボルマークと関連付けるように構成した。また、この関連付けを利用して表示の切り替えを行うことで、緯度経度情報を持たない地図同士で表示の切り替えが可能となる。更に、シンボルマークの詳細情報として関連する地図を知ることができるので、ユーザにとっては使い勝手の良い地図表示システムを提供することができる。また更に、現在のシンボルマークのデータベースを利用することができることから、システム構築が容易となり、また、地図の製作や変更が容易になると共に、地図単位で関連付けを行うことで、地図配信などにも適している。
【００３１】
【発明の効果】
以上説明したように、本発明によれば、複数の地図の関連付けをより適切に行うことが可能となり、例えば、地図表示の切り替えを簡単に行うことができる。
【図面の簡単な説明】
【図１】  本実施の形態が適用される地図表示システムについてハードウェアから見た全体構成を示した図である。
【図２】  図１に示したハードウェアの全体構成を機能ブロックで示した図である。
【図３】  (ａ),(ｂ)は、階層による地図表示切り替え例を示した図である。
【図４】  (ａ)〜(ｃ)は、複数の地図とリンクしているシンボルマークの例を説明した図である。
【図５】  複数のリンクが存在する場合のユーザ確認の例を示した図である。
【図６】  シンボル情報格納部に格納されるシンボルマークデータの一例を示した図である。
【図７】  本実施の形態が適用される地図表示切り替え処理の流れを示したフローチャートである。
【符号の説明】
１１…制御装置、１２…入力装置、１４…出力装置、１５…記憶装置、１６…外部通信装置、２１…ＣＰＵ、２２…Ｉ/Ｏ回路、２３…ＲＯＭ、２４…ＲＡＭ、２５…ＶＲＡＭ、３１…キーボード、３２…マウス、３３…リモコン(リモートコントローラ)、３４…タッチパネル、４１…地図情報格納部、４２…シンボル情報格納部、５１…入力情報処理部、５２…地図情報・シンボル情報読込部、５３…地図情報処理部、５４…シンボル情報処理部、５５…画面描画処理部、６０…吹き出し表示
【図１】
0004224985.tif 000002
【図２】
0004224985.tif 000003
【図３】
0004224985.tif 000004
【図４】
0004224985.tif 000005
【図５】
0004224985.tif 000006
【図６】
0004224985.tif 000007
【図７】
0004224985.tif 000008